(57)【要約】【課題】    スクリーンに発生する上向きの反力が版枠に向かって大になる傾向がある場合であっても、均一な印刷が行えるスキージホルダーを提供すること。【解決手段】    ホルダー１０のスキージ１１を挟持するスキージ挟持口の縁部形状を正面視で中央部が両側部よりも深くなる形状に形成する。具体的には、ホルダー１０のスキージ挟持口の縁部形状を正面視でアーチ型形状に形成する。この他、正面視形状が長方形のホルダーの正面視両側部分に、略三角形状を有する補助挟持板を設けて当該ホルダーの正面視形状をアーチ型形状に形成することができる。【選択図】    図３
2005342930.tif 000002
【特許請求の範囲】
【請求項１】
スキージ挟持口の縁部形状を正面視で中央部が両側部よりも深くなる形状に形成したことを特徴とするスクリーン印刷装置のスキージホルダー。
【請求項２】
スキージ挟持口の縁部形状を正面視でアーチ型形状に形成したことを特徴とする請求項１に記載のスクリーン印刷装置のスキージホルダー。
【請求項３】
正面視形状が長方形のホルダーの正面視両側部分に、略三角形状を有する補助挟持板を設け該補助挟持板によって当該ホルダーの正面視形状をアーチ型形状に形成したことを特徴とする請求項１に記載のスクリーン印刷装置のスキージホルダー。
【発明の詳細な説明】
【技術分野】
【０００１】
本発明は、スクリーン印刷装置に使用するスキージホルダーに関するものである。
【背景技術】
【０００２】
スクリーン印刷に使用するスキージは、スキージホルダーに挟持して印刷機に装着されるものであるが、従来からホルダーの形状には特別の配慮はなされていなかった。
【０００３】
スクリーンを版枠に張る場合、スクリーンにテンションを加えて接着している。スクリーンに加えるテンションは、スクリーンを緊張状態に張るために必要なものであるが、テンションは少なすぎてはいけないが、限度を越えて強くするとスクリーンが破損する原因となる。
【０００４】
図１は版枠にスクリーンを張った状態を示している。図示したスクリーン１は、テンションを加えて版枠２に接着されているが、自然のダレ現象によって中央部に撓みが生じている。また、スクリーンに加えられたテンションは、スクリーンの周縁に向かって強くなっているので、スクリーン１に発生する上向きの反力は中央部が小さく周縁部に向かって大になる分布として発生する。
【０００５】
図２は、従来技術のホルダーによりスキージを挟持した状態を示している。ホルダー３にはスキージ４が着脱自在に挟持されており、該ホルダー３は挟持口の縁部がスキージ４の自由端縁部の長手方向と平行に形成されている。すなわち、従来技術においては、ホルダー３の挟持口から突出するスキージ４の長さがホルダーの正面視で全幅同じ長さになっていた。図１に示すように、スクリーン１に発生する反力の分布状況は、周縁に向かって大になるので、従来構造のホルダー３に挟持されたスキージ４を使用して印刷作業を行うと、スキージ４には、中央部に比べて両端近傍にスキージを押上げる力が大きな歪となって発生する。このため、スキージ４の両端近傍は、被印刷物５との間に僅かな隙間が生じることがあり、これが原因となってインキの滲みなどによる印刷不良が発生する。
【０００６】
従来技術から、スクリーンに発生する自然のダレ現象による撓みが原因で生じる印刷不良を解消するための新規技術は提案されたことがなかった。
【発明の開示】
【発明が解決しようとする課題】
【０００７】
本発明は、スクリーンに発生する上向きの反力が版枠に向かって大になる傾向がある場合であっても、均一な印刷が行えるスキージホルダーを提供することを課題としている。
【課題を解決するための手段】
【０００８】
課題を解決する手段は、スキージ挟持口の縁部形状を正面視で中央部が両側部よりも深くなる形状に形成したことを特徴とするものである。また、スキージ挟持口の縁部形状を正面視でアーチ型形状に形成したことを特徴としている。
【０００９】
他の解決手段は、正面視形状が長方形のホルダーの正面視両側部分に、略三角形状を有する補助挟持板を設け該補助挟持板によって当該ホルダーの正面視形状をアーチ型形状に形成したことを特徴とするものである。
【発明の効果】
【００１０】
本発明は、ホルダーの形状を、スキージを押上げる力としてスキージに作用する力が正面視で中央部よりも両端部を大になる形状に形成したものであるから、スキージを使用した時、スキージを押上げる力がスキージの全幅に対し一定の力で作用し、したがって、印刷作業中にスキージと被印刷物との間に隙間が生じることがなく印刷不良を回避することができる効果がある。
【発明を実施するための最良の形態】
【００１１】
図３，４は、本発明のホルダーを使用してスキージを挟持した状態を示している。ホルダー１０はスキージ１１を着脱自在に挟持したものであって、正面視形状を中央部が両側端よりも深くなる傾向の形状に、具体的には、挟持口の縁部を正面視アーチ型形状に形成したものである。このため、ホルダー１０の挟持口から突出するスキージ１１の長さは、中央部に比べ両側部が短くなっている。なお、スキージ１１の正面視横幅はホルダー１０の横幅と同じである。
【００１２】
図４において、Ａはホルダー１０の中央部を縦断し、Ｂはホルダー１０の端部を縦断した状態を示している。スキージ１１がホルダー１０の挟持口から突出している長さは、中央部が端部よりも長く形成されている。また、スキージ１１を使用した時、スクリーンに発生した反力に対応してスキージを押上げる力として発生する歪み量と相殺する力は、スキージ１１がホルダー１０の挟持口から突出している部分の短い方（図４Ｂ）が、長い方（図４Ａ）よりも強くなる。
【００１３】
図１に示すように、スクリーンに発生する反力の分布状況が、スクリーンの中央部から両側端に向かって大になることに鑑み、本発明は、ホルダー１０の形状を、スキージを押上げる力としてスキージに作用する力が正面視で中央部よりも両端部を大になる形状に形成したものであり、スキージ１１を使用した時、スキージを押上げる力がスキージ１１の全幅に対し一定の力で作用する。したがって、印刷作業中にスキージ１１と被印刷物との間に隙間が生じることがなく印刷不良を回避することができるのである。
【００１４】
図５は、従来技術と本発明のホルダーを使用して印刷した時のスキージ先端の変形状態を比較したものである。図５Ａに示す従来技術の場合は、スキージ４の両端が中央部よりも歪み量が大きいので平面視でスキージ４の先端は円弧状に変形してしまうが、図５Ｂに示す本発明の場合は、スキージ１１に発生する歪み量が一定となり、平面視でスキージ１１の先端に変形は発生しない。したがって、本発明は、従来技術に比べ印刷作業中にスキージの変形がないので印刷不良を発生させないものとなる。
【００１５】
図６，７はスキージホルダーの他の実施形態を示している。図において、ホルダー２０はスキージ２１を挟持する挟持口の縁部が従来構造と同様にスキージ先端縁と平行に形成されているので、本実施形態では、ホルダー２０の正面視両側部分に補助挟持板２２を設け、当該ホルダー２０の挟持部分が正面視でアーチ型形状を呈するようにしている。補助挟持版２２は、正面視で一方に傾斜する略三角形状であり、スキージ２１を挟持する挟持部２２ａとホルダー２０の底部に当接する取付部２２ｂを有しており、取付部２２ｂを止めネジ２３によって当該ホルダー２０に固定するものである。なお、補助挟持版２２は、従来構造のホルダーに後付けして固定できるものであるから、既設の印刷機に対し簡単に取付けられるものとなる。
【００１６】
実施例
本発明におけるホルダー１０の正面視におけるアーチ型形状の具体例は、ホルダーの正面幅が１７０ｍｍ程度の場合、中央部と端部の高さの差が概ね１０ｍｍとなるアールで形成されている。なお、アーチ型形状を後付け構造で形成する場合は、補助挟持版２２の高さを概ね１０ｍｍに形成すれば、正面幅が１７０ｍｍ前後のホルダーに対応できるものとなる。
【産業上の利用可能性】
【００１７】
本発明は、印刷作業中にスキージと被印刷物との間に隙間が生じることがなく印刷不良を回避することができる効果があるだけでなく、補助挟持板を用いることで既設の印刷機にも適用できることの利便性がある。
【図面の簡単な説明】
【００１８】
【図１】版枠にスクリーンを張った状態を示す側面図。
【図２】従来技術のホルダーを使用してスキージを使用した状態を示す正面図。
【図３】本発明のホルダーを使用してスキージを使用した状態を示す正面図。
【図４】本発明のホルダーにスキージを固定した状態の断面を示しており、Ａはホルダーの中央部、Ｂはホルダーに端部の各断面図。
【図５】従来技術と本発明のホルダーを使用して印刷した時のスキージ先端の変形状態を比較したものであり、Ａは従来技術の場合、Ｂは本発明の場合を示す各斜視図。
【図６】本発明の他の実施形態によるホルダーを示す正面図。
【図７】図６におけるスキージ固定部分を示す斜視図。
【符号の説明】
【００１９】
１  スクリーン
２  版枠
３  ホルダー
４  スキージ
５  被印刷物
１０  ホルダー
１１  スキージ
２０  ホルダー
２１  スキージ
２２  補助挟持版
２３  止めネジ
【図１】
2005342930.tif 000003
【図２】
2005342930.tif 000004
【図３】
2005342930.tif 000005
【図４】
2005342930.tif 000006
【図５】
2005342930.tif 000007
【図６】
2005342930.tif 000008
【図７】
2005342930.tif 000009